(57)【特許請求の範囲】
【請求項１】
カセットからテープを引き出し、磁気ヘッドが装着された回転シリンダへ所定角度で巻回して記録再生を行う磁気記録再生装置において、カセットからテープを引き出して、回転シリンダに所定角度で巻回し、所定のテープ走行路を形成する第１、第２のテープガイド手段と、前記第１のテープガイド手段の移動により作動して、回転シリンダの外周面に当接し、回転シリンダに装着された磁気ヘッドをクリーニングするクリーニング手段とを備え、テープ巻戻し時、所定時間、テープ走行により回転シリンダを回転させ、前記第２のテープガイド手段をローディング終了位置に位置させ、前記第１のテープガイド手段を移動させて、前記クリーニング手段を作動させて磁気ヘッドをクリーニングし、所定時間経過後、前記第１のテープガイド手段をローディング終了位置に移動させ、或いは前記第１、第２のテープガイド手段をローディング開始位置に移動させて、前記クリーニング手段の作動を解除して磁気ヘッドのクリーニングを終了し、磁気ヘッドのクリーニング終了後、テープの巻戻しを続行するようにしたことを特徴とする磁気ヘッドのクリーニング装置。
【請求項２】
カセットからテープを引き出し、磁気ヘッドが装着された回転シリンダへ所定角度で巻回して記録再生を行う磁気記録再生装置において、カセットからテープを引き出して、回転シリンダに所定角度で巻回し、所定のテープ走行路を形成する第１、第２のテープガイド手段と、前記第１のテープガイド手段の移動により作動して、回転シリンダの外周面に当接し、回転シリンダに装着された磁気ヘッドをクリーニングするクリーニング手段とを備え、テープ巻戻し時、テープ走行により回転シリンダを回転させ、前記第１のテープガイド手段を所定位置に移動させて、前記クリーニング手段を作動させ、磁気ヘッドのクリーニングを行うようにしたことを特徴とする磁気ヘッドのクリーニング装置。
【請求項３】
前記第２のテープガイド手段をローディング終了位置に位置させ、前記第１のテープガイド手段を移動させて、磁気ヘッドのクリーニングを行うようにしたことを特徴とする請求項２記載の磁気ヘッドのクリーニング装置。
【請求項４】
テープ巻戻し時、所定時間、前記第１のテープガイド手段を所定位置に移動させて、磁気ヘッドのクリーニングを行うようにしたことを特徴とする請求項２又は請求項３のいずれかに記載の磁気ヘッドのクリーニング装置。
【請求項５】
テープ巻戻し時、所定時間経過後、前記第１のテープガイド手段をローディング終了位置に移動させて、前記クリーニング手段の作動を解除するようにしたことを特徴とする請求項４記載の磁気ヘッドのクリーニング装置。
【請求項６】
テープ巻戻し時、所定時間経過後、前記第１、第２のテープガイド手段をローディング開始位置に移動させて、前記クリーニング手段の作動を解除するようにしたことを特徴とする請求項４記載の磁気ヘッドのクリーニング装置。
【請求項７】
磁気ヘッドのクリーニング終了後、テープの巻戻しを続行するようにしたことを特徴とする請求項５又は請求項６のいずれかに記載の磁気ヘッドのクリーニング装置。
【発明の詳細な説明】
【０００１】
【発明の属する技術分野】
本発明は、磁気ヘッドが載置された回転シリンダにテープを巻回して記録再生を行うビデオカセットレコーダ等の磁気記録再生装置に係り、特に磁気記録再生装置に用いられる磁気ヘッドのクリーニングを行う磁気ヘッドのクリーニング装置に関する。
【０００２】
【従来の技術】
従来の技術は、例えば、特開平６−１５０２６２号公報に記載されているように、カセットのローディング時に、カセットからテープを引き出す動作に連動して、クリーニング部材を回転シリンダの外周面と磁気ヘッドとに当接して磁気ヘッドのクリーニングを行い、テープ引き出し終了後も動作モードカムギヤが所定角範囲回転を終了するまでクリーニング動作を継続し、ピンチローラ圧着レバーの移動に連動して、クリーニング部材を回転シリンダから離間させてクリーニング動作を終了するようにしたものがあった。
【０００３】
また、例えば、特開平７−２３５０２３号公報に記載されているように、カセットのローディング時に、磁気ヘッドが載置されている回転シリンダを、所定時間、記録再生時の回転方向に対して逆方向に回転させ、カセットからテープを引き出すテープガイドブロックを載置しているガイドベースの移動を利用して、クリーニング部材を回転シリンダ外周面或いは磁気ヘッドに複数回当接、離間させ、磁気ヘッドのクリーニングを行うようにしたものがあった。
【０００４】
【発明が解決しようとする課題】
しかしながら、従来の技術においては、いずれも、カセットのローディング時に、磁気ヘッドのクリーニングを行うことができたが、カセットを磁気記録再生装置にローディングした状態においては、磁気ヘッドのクリーニングを行うことができなかった。そのため、ユーザが、外出中に放送されるテレビ放送番組をいつも同じカセットに予約録画して、帰宅後にその放送番組を視聴することを繰り返している場合などにおいては、全く磁気ヘッドのクリーニングが行われないという問題点があった。
【０００５】
本発明は、従来の技術の有するこのような問題点に鑑みてなされたものであり、その目的とするところは、磁気記録再生装置にローディングされているカセットのテープを巻き戻すことにより、磁気ヘッドのクリーニングを自動的に行うことができる磁気ヘッドのクリーニング装置を提供しようとするものである。
【０００６】
また、上記目的に加えて、テープ巻戻し時に、磁気ヘッドのクリーニングを必要以上に行わないようにして、クリーニングにより磁気ヘッドの寿命が短くなることを防止することができる磁気ヘッドのクリーニング装置を提供しようとするものである。
【０００７】
【課題を解決するための手段】
上記目的を達成するため本発明においては、カセットからテープを引き出し、磁気ヘッドが装着された回転シリンダへ所定角度で巻回して記録再生を行う磁気記録再生装置において、カセットからテープを引き出して、回転シリンダに所定角度で巻回し、所定のテープ走行路を形成する第１、第２のテープガイド手段と、前記第１のテープガイド手段の移動により作動して、回転シリンダの外周面に当接し、回転シリンダに装着された磁気ヘッドをクリーニングするクリーニング手段とを備え、テープ巻戻し時、テープ走行により回転シリンダを回転させ、前記第１のテープガイド手段を所定位置に移動させて、前記クリーニング手段を作動させ、磁気ヘッドのクリーニングを行うようにする。
【０００８】
前記第２のテープガイド手段をローディング終了位置に位置させ、前記第１のテープガイド手段を移動させて、磁気ヘッドのクリーニングを行うようにするとよい。
【０００９】
テープ巻戻し時、所定時間、前記第１のテープガイド手段を所定位置に移動させて、磁気ヘッドのクリーニングを行うようにする。
【００１０】
また、テープ巻戻し時、所定時間経過後、前記第１のテープガイド手段をローディング終了位置に移動させて、前記クリーニング手段の作動を解除するようにする。
【００１１】
テープ巻戻し時、所定時間経過後、前記第１、第２のテープガイド手段をローディング開始位置に移動させて、前記クリーニング手段の作動を解除するようにしてもよい。
【００１２】
また、磁気ヘッドのクリーニング終了後、テープの巻戻しを続行するようにする。
【００１３】
これらの手段により、磁気記録再生装置にローディングされているカセットのテープを巻き戻すことにより、磁気ヘッドのクリーニングを自動的に行うことができる。
【００１４】
また、テープ巻戻し時に、磁気ヘッドのクリーニングを必要以上に行わないようにして、クリーニングにより磁気ヘッドの寿命が短くなることを防止することができる。
【００１５】
【発明の実施の形態】
以下、適宜図面を参照しながら本発明の実施の形態を詳述する。図１は本発明の実施の形態に係る磁気ヘッドのクリーニング装置の概略平面図であり、図２は図１の要部拡大図であり、図３は本発明の実施の形態に係る磁気ヘッドのクリーニング装置のローディング途中の状態を示す概略平面図であり、図４は本発明の実施の形態に係る磁気ヘッドのクリーニング装置のローディング終了状態を示す概略平面図であり、図５は本発明の実施の形態に係る磁気ヘッドのクリーニング装置のテープ巻戻し時のクリーニング状態を示す概略平面図であり、図６は本発明の実施の形態に係る磁気ヘッドのクリーニング装置のテープ巻戻し時のクリーニング終了状態を示す概略平面図である。
【００１６】
図１〜図６において、１０はクリーニング装置のクリーニング部材、５０は回転シリンダ、３０、４０はテープガイドブロック、６０はシャーシである。シャーシ６０には、回転シリンダ５０が取り付けられていて、回転シリンダ５０の外周面には、複数の磁気ヘッド（図示せず）が載置されている。また、シャーシ６０には、回転シリンダ５０の両側にガイド溝６１、６２が設けられていて、ガイド溝６１、６２は、それぞれテープガイドブロック３０、４０の移動経路を形成している。テープガイドブロック３０、４０には、テープＴの走行をガイドするガイドポスト３１、４１、ガイドローラ３２、４２が設けられていて、カセット７０から引き出されたテープＴを回転シリンダ５０に所定角度で巻回して、所定のテープ走行路を形成するようになっている。
【００１７】
クリーニング装置のクリーニング部材１０は、クリーニングパット等でなるものであり、図２に示すように、支持アーム１１の一端に、回転自在に取り付けられて、支持アーム１１の回転により、クリーニング装置が作動するようになっている。支持アーム１１の他端は、シャーシ６０に垂直に固着された支軸部２０に挿着された弾性支持体２１で回動可能に片持ち支持されていて、支持弾性体２１が捩じれ変形に伴って支軸部２０の軸線周りに回動し、クリーニング部材１０が回転シリンダ５０の外周面と磁気ヘッドとに当接するようになっている。また、支持アームの中間部から作動レバー１２が延出されていて、作動レバー１２は、長さ方向中間部に湾曲部１２ａを有し、非作動時には、作動レバー１２の湾曲部１２ａがテープガイドブロック３０の移動経路のガイド溝６１上に張り出していて、テープガイドブロック３０がガイド溝６１をその始端部から終端部に移動するとき、作動レバー１２の湾曲部１２ａがガイド溝６から押し出され、支持アーム１１が支持弾性体２１の捩じれ変形に伴なって支軸部２０の軸線周りに回動して、クリーニング部材１０が回転シリンダ５０の外周面と磁気ヘッドとに当接する。なお、テープガイドブロック３０がガイド溝６１の始端部に位置しているとき、クリーニング部材１０は回転シリンダ５０の外周面と磁気ヘッドとから離間している。また、作動レバー１２は、弾性を有していて、クリーニング部材１０が回転シリンダ５０の外周面と磁気ヘッドに当接したとき、磁気ヘッドに必要以上の圧力や無理な力が掛からないようになっている。
【００１８】
ローディングモータ（図示せず）が駆動され、カセットのローディングが開始されると、左右のテープガイドブロック３０、４０がガイド溝６１、６２によって形成されている移動経路に沿って、ガイド溝６１、６２をその始端部から終端部に向かって、回転シリンダ５０に近づく方向に移動する。そして、図３に示すように、ローディング途中の段階で、一方のテープガイドブロック３０により、作動レバー１２の湾曲部１２ａがガイド溝から押し出され、支持アーム１１が支持弾性体２１の捩じれ変形に伴って支軸部２０の軸線周りに矢印ａの方向に回動して、クリーニング部材１０が回転シリンダ５０の外周面と磁気ヘッドとに当接するので、この段階で回転シリンダ５０を回転させれば、回転シリンダ５０の外周面に載置された磁気ヘッドのクリーニングを行うことができる。
【００１９】
そして、テープガイドブロック３０が移動経路をさらに移動して、移動経路のガイド溝６１の終端部に到達し、カセット７０から引き出されたテープＴを回転シリンダ５０に所定角度で巻回されて、所定のテープ走行路を形成され、ローディングが終了する。ローディングが終了した段階では、図４に示すように、テープガイドブロック３０が作動レバー１２から離間し、それに伴って支持弾性体２１の弾性復元作用により支持アーム１１が矢印ｂの方向に回転し、テープガイドブロック３０の移動経路のガイド溝６１上の移動経路上に張り出した状態に戻り、クリーニング部材１０が回転シリンダ５０の外周面と磁気ヘッドとから離間する。
【００２０】
また、アンローディング時には、テープガイドブロック３０がガイド溝６１によって形成されている移動経路に沿って、ガイド溝６１をその終端部から始端部に向かって移動するので、その移動途中の段階で、上記したと同様に、ガイド溝６から押し出され、クリーニング部材１０が回転シリンダ５０の外周面と磁気ヘッドとに当接するので、回転シリンダ５０を回転させれば、回転シリンダ５０の外周面に載置された磁気ヘッドのクリーニングを行うことができる。
【００２１】
巻戻しモータ（図示せず）が駆動され、カセットのテープＴの巻戻しが開始されると、テープＴが右方向に巻戻しリール（図示せず）に巻き戻され、それに伴って、テープＴが巻回されている回転シリンダが通常の記録再生時の回転方向に対して逆方向の矢印Ａの方向に回転する。そして、図５に示すように、一方のテープガイドブロック３０が移動経路のガイド溝６１の終端部から始端部に向かって、作動レバー１２の湾曲部１２ａがガイド溝６１から押し出される位置まで移動する。そして、テープガイドブロック３０により、作動レバー１２の湾曲部１２ａが押し出され、支持アーム１１が支持弾性体２１の捩じれ変形に伴って支軸部２０の軸線周りに矢印ｃの方向に回動して、クリーニング部材１０が回転シリンダ５０の外周面と磁気ヘッドとに当接して、回転シリンダ５０の外周面に載置された磁気ヘッドのクリーニングが行われる。なお、一方のテープガイドブロック３０が移動したときでも、回転シリンダ５０とテープＴとの接触面積が広くなるように、他方のテープガイドブロック４０はガイド溝６２の終端部に位置し、回転シリンダ５０とテープＴとの摩擦力を大きくして、テープＴが回転シリンダ５０の外周面をスリップせずに、回転シリンダ５０を回転させることができるようにしている。また、回転シリンダ５０を記録再生時の回転方向に対して逆方向に回転させて、磁気ヘッドのクリーニングを行うようにしているので、記録再生時に、磁気ヘッドの回転方向の下流側に付着した磁性体粉等を効果的にクリーニングすることができる。
【００２２】
そして、磁気ヘッドのクリーニングを開始して、所定時間経過すると、図６に示すように、テープガイドブロック３０は、再びガイド溝６１によって形成されている移動経路に沿って、ローディング終了位置のガイド溝６１の終端部に向かって移動する。そして、テープガイドブロック３０が、ガイド溝６１の終端部に到達すると、テープガイドブロック３０が作動レバー１２から離間し、それに伴って支持弾性体２１の弾性復元作用により支持アーム１１が矢印ｄの方向に回転し、テープガイドブロック３０の移動経路のガイド溝６１上の移動経路上に張り出した状態に戻り、クリーニング部材１０が回転シリンダ５０の外周面と磁気ヘッドとから離間して、磁気ヘッドのクリーニングを終了する。そして、図６に示した状態で、テープＴの巻戻しが停止されるか、或いはテープＴ始端まで巻き戻されるまで、テープＴの巻戻しが続けられる。これにより、テープ巻戻し時に、磁気ヘッドのクリーニングを必要以上に行わないようにして、クリーニングにより磁気ヘッドの寿命が短くなることを防止することができる。
【００２３】
上述したように、テープを巻き戻すことにより、磁気ヘッドのクリーニングを自動的に行うことができるので、カセットを磁気記録再生装置にローディングしたまま繰り返し再生しているような場合でも、テープ巻戻し時に磁気ヘッドのクリーニングを自動的に行うことができる。また、外出中に放送されるテレビ放送番組をいつも同じカセットに予約録画して、帰宅後にその放送番組を視聴することを繰り返している場合などにおいても、予約録画された放送番組を視聴するとき、テープが巻き戻されるので、磁気ヘッドのクリーニングを自動的に行うことができる。
【００２４】
以上、本発明の実施の形態について詳述したが、本発明はこれに限らず、当業者の通常の知識の範囲内でその変形や改良が可能である。例えば、テープ巻戻し時、１つのテープガイドブロックを移動させて、磁気ヘッドのクリーニングを行い、磁気ヘッドのクリーニングの終了時、そのテープガイドブロックをガイド溝の終端部のローディング終了位置に移動することを説明したが、２つのテープガイドブロックをガイド溝の始端部のローディング開始位置に移動するようにしてもよい。
【００２５】
【発明の効果】
以上説明してきたように、本発明による磁気ヘッドのクリーニング装置によれば、テープ巻戻し時、テープ走行により回転シリンダを回転させ、一方のテープガイドブロックをローディング終了位置に位置させ、他方のテープガイドブロックを所定位置に移動させて、クリーニング部材を回転シリンダの外周面に当接させ、回転シリンダに載置された磁気ヘッドのクリーニングを行うことができる。また、テープ巻戻し時、所定時間、磁気ヘッドをクリーニングし、所定時間経過後、磁気ヘッドのクリーニングを終了して、テープの巻戻しを続行することができる。このことにより、磁気記録再生装置にローディングされているカセットのテープを巻き戻すことにより、磁気ヘッドのクリーニングを自動的に行うことができる。また、テープ巻戻し時に、磁気ヘッドのクリーニングを必要以上に行わないようにして、クリーニングにより磁気ヘッドの寿命が短くなることを防止することができる。
【００２６】
請求項１記載の発明に係る磁気ヘッドのクリーニング装置は、テープ巻戻し時、所定時間、テープ走行により回転シリンダを回転させ、第２のテープガイド手段をローディング終了位置に位置させ、第１のテープガイド手段を移動させて、クリーニング手段を作動させて磁気ヘッドをクリーニングし、所定時間経過後、第１のテープガイド手段をローディング終了位置に移動させ、或いは第１、第２のテープガイド手段をローディング開始位置に移動させて、クリーニング手段の作動を解除して磁気ヘッドのクリーニングを終了し、磁気ヘッドのクリーニング終了後、テープの巻戻しを続行するようにしている。
【００２７】
請求項２記載の発明に係る磁気ヘッドのクリーニング装置は、テープ巻戻し時、テープ走行により回転シリンダを回転させ、第１のテープガイド手段を所定位置に移動させて、クリーニング手段を作動させ、磁気ヘッドのクリーニングを行うようにしている。
【００２８】
請求項３記載の発明に係る磁気ヘッドのクリーニング装置は、第２のテープガイド手段をローディング終了位置に位置させ、第１のテープガイド手段を移動させて、磁気ヘッドのクリーニングを行うようにしている。
【００２９】
請求項４記載の発明に係る磁気ヘッドのクリーニング装置は、テープ巻戻し時、所定時間、第１のテープガイド手段を所定位置に移動させて、磁気ヘッドのクリーニングを行うようにしている。
【００３０】
請求項５記載の発明に係る磁気ヘッドのクリーニング装置は、テープ巻戻し時、所定時間経過後、第１のテープガイド手段をローディング終了位置に移動させて、クリーニング手段の作動を解除するようにしている。
【００３１】
請求項６記載の発明に係る磁気ヘッドのクリーニング装置は、テープ巻戻し時、所定時間経過後、第１、第２のテープガイド手段をローディング開始位置に移動させて、クリーニング手段の作動を解除するようにしている。
【００３２】
請求項７記載の発明に係る磁気ヘッドのクリーニング装置は、磁気ヘッドのクリーニング終了後、テープの巻戻しを続行するようにしている。
【図面の簡単な説明】
【図１】  本発明の実施の形態に係る磁気ヘッドのクリーニング装置の概略平面図である。
【図２】  図１の要部拡大図である。
【図３】  本発明の実施の形態に係る磁気ヘッドのクリーニング装置のローディング途中の状態を示す概略平面図である。
【図４】  本発明の実施の形態に係る磁気ヘッドのクリーニング装置のローディング終了状態を示す概略平面図である。
【図５】  本発明の実施の形態に係る磁気ヘッドのクリーニング装置のテープ巻戻し時のクリーニング状態を示す概略平面図である。
【図６】  本発明の実施の形態に係る磁気ヘッドのクリーニング装置のテープ巻戻し時のクリーニング終了状態を示す概略平面図である。
【符号の説明】
１０  クリーニング部材
１１  支持アーム
１２  作動レバー
１２ａ  湾曲部
２０  支軸部
２１  弾性支持体
３０、４０  テープガイドブロック
５０  回転シリンダ
６０  シャーシ
６１、６２  ガイド溝
７０  カセット
Ｔ  テープ
【図１】
0003649402.tif 000002
【図２】
0003649402.tif 000003
【図３】
0003649402.tif 000004
【図４】
0003649402.tif 000005
【図５】
0003649402.tif 000006
【図６】
0003649402.tif 000007